(57)【要約】【課題】発光体の修理やメンテナンスを容易にし、孔にごみがたまって電飾効果が低減することを防止する。【解決手段】ＬＥＤランプ２を表面から視認できるように、ＬＥＤランプ２を板材３の裏面に取付具４により取り付け、取付具４の内部５にＬＥＤランプ２の配線部７を通し、固定材８によりＬＥＤランプ２を取付具４に固定する。面方向に貫通形成されるＬＥＤランプ点灯孔９を板材３が有し、取付具４がＬＥＤランプ挿入孔１０と、配線取出口１１と、を有し、ＬＥＤランプ２は、ＬＥＤ点灯孔９の上面と面一となるように上面１２が配置される発光部１３と、発光部１３を包む保持部１４と、を有し、ＬＥＤランプ挿入孔１０から挿入され発光部１３をＬＥＤランプ点灯孔９に挿入固定し、ＬＥＤランプ配線部７はＬＥＤランプ２から延び出し配線取出口１１から引き出され、固定材８がＬＥＤランプ配線部７及び／又は保持部１４の下部を取付具４に固定する。【選択図】図３
2005302617.tif 000002
【特許請求の範囲】
【請求項１】
発光ダイオードランプを表面から視認できるように、前記発光ダイオードランプを、板材の裏面に取付具により取り付け、該取付具の中空部に前記発光ダイオードランプの配線部を通し、固定材により前記発光ダイオードランプを前記取付具に固定することを特徴とする電飾装置。
【請求項２】
面方向に貫通形成される発光ダイオードランプ点灯孔を有する板材と、
該板材に取り付け可能である、発光ダイオードランプ挿入孔と、配線取出口と、を備える取付具と、
前記発光ダイオードランプ点灯孔の上部に上面が配置される発光部と、該発光部を包む保持部と、を有し、前記発光ダイオードランプ挿入孔から挿入され前記発光部を前記発光ダイオードランプ点灯孔に挿入固定する発光ダイオードランプと、
前記発光ダイオードランプから延び出し前記配線取出口から引き出される発光ダイオードランプ配線部と、
前記発光ダイオードランプ配線部及び／又は保持部の下部を前記取付具に固定する固定材と、
を備えたことを特徴とする電飾装置。
【請求項３】
前記固定材が前記取付具の内部に充填される発泡体である請求項１又は２の電飾装置。
【請求項４】
前記発泡体はウレタンである請求項１乃至３いずれかの電飾装置。
【請求項５】
前記発光ダイオードランプがリードタイプ型である請求項１乃至４いずれかの電飾装置。
【請求項６】
前記発光ダイオードランプに太陽光発電で発電される電気を供給する請求項１乃至５いずれかの電飾装置。
【発明の詳細な説明】
【技術分野】
【０００１】
この発明は、電飾装置、詳しくは、発光ダイオードランプ（以下、ＬＥＤランプともいう）を利用して床材、壁材、天井材等の電飾効果を高める電飾装置に関わる。
【背景技術】
【０００２】
従来の電飾装置には、床電飾装置がある。これは遊技店のような建物の床に電飾装置を設けることにより、建物内の空間全体に電飾の効果を及ぼして空間全体を視覚的に盛り上げ、高揚させることができるようにした床電飾装置を提供するため、建物の床上に枠体を載置し、該枠体の上に透光板を載置し、建物の床と枠体と透光板とによって囲まれた光源収容空間内に光源を載置し、該光源の点滅は制御装置によって制御されるものがある（特許文献１）。
また、エレクトロ・ルミネッセンスシートを利用する電飾装置であって、設置スペースが従来よりも狭くても大丈夫であるとともに設置するにあたっての取り付け工事が簡易であり、その上、設置した場合、壁面等の被設置面から殆ど突出してみえないため違和感がなく、その装飾効果は一層向上し、よって、その応用範囲は従来よりも極めて向上する電飾装置を提供するため、エレクトロ・ルミネッセンスシートの放出光側面に、透光性表現手段を設置した電飾装置がある（特許文献２）。
また、液晶表示装置や電飾看板などのバックライト用面状光源を軽量で光の損失が少なく、しかも薄型で輝度が均一で安価なものにするため、内面が反射面に形成された箱体と、該箱体内に内蔵された線状光源とからなり、前記箱体の一壁面に光透過領域が多数個均斉に設けられるとともに、前記線状光源から遠くなるにつれて、該光透過領域の前記一壁面に対する割合が大きくなるように設けられ、該壁面から前記線状光源の光を放射するものがある（特許文献３）。
さらに電飾景観を有する土木構造物がある。これは、簡単な構成で、夜間において電飾景観を有し、しかも維持管理の容易な土木構造物を提供する。河川、海岸堤防、道路擁壁のコンクリート構造物に絵タイルを縦横に列設したブロックを重層、固定し、絵タイルの絵画を構成する部分に設けられた凹窩に多色の発光体を埋設し、同各発光体を電気的に制御する集中制御ユニツトに接続したものがある（特許文献４）。
【０００３】
【特許文献１】特開2003-210824
【特許文献２】特開2000-112412
【特許文献３】特開平08-153405
【特許文献４】特開平05-051935
【発明の開示】
【発明が解決しようとする課題】
【０００４】
しかし、特許文献１〜３の従来の電飾装置の発光源は面状又は線状であって、電飾効果が大まかである。特許文献４はコンクリートに点光源を埋設する構造としているが、コンクリートに埋設する構造であるので、発光体の修理やメンテナンスが大変面倒である。また、孔にごみがたまって電飾効果が低減するおそれがある。さらにコンクリートの熱による膨張・圧縮を考慮した設計を行わなければならない。
【課題を解決するための手段】
【０００５】
前述の課題を解決するために、請求項１記載の発明は、発光ダイオードランプを表面から視認できるように、前記発光ダイオードランプを、板材の裏面に取付具により取り付け、該取付具の中空部に前記発光ダイオードランプの配線部を通し、固定材により前記発光ダイオードランプを前記取付具に固定することを特徴とする電飾装置である。
【０００６】
請求項２記載の発明は、面方向に貫通形成される発光ダイオードランプ点灯孔を有する板材と、該板材に取り付け可能である、発光ダイオードランプ挿入孔と、配線取出口と、を備える取付具と、前記発光ダイオードランプ点灯孔の上部に上面が配置される発光部と、該発光部を包む保持部と、を有し、前記発光ダイオードランプ挿入孔から挿入され前記発光部を発光ダイオードランプ点灯孔に挿入固定する発光ダイオードランプと、前記発光ダイオードランプから延び出し前記配線取出口から引き出される発光ダイオードランプ配線部と、前記発光ダイオードランプ配線部及び／又は保持部の下部を前記取付具に固定する固定材と、を備えたことを特徴とする電飾装置である。発光ダイオードランプ点灯孔の上面と発光部の上面とが面一となることが好ましいが、上から視認可能であれば、多少の許容範囲は許される。
【０００７】
請求項３記載の発明は、前記固定材が前記取付具の内部に充填される発泡体である請求項１又は２の電飾装置である。
【０００８】
請求項４記載の発明は、前記発泡体はウレタンである請求項１乃至３いずれかの電飾装置である。
【０００９】
請求項５記載の発明は、前記発光ダイオードランプがリードタイプ型である請求項１乃至４いずれかの電飾装置である。
【００１０】
請求項６記載の発明は、前記発光ダイオードランプに太陽光発電で発電される電気を供給する請求項１乃至５いずれかの電飾装置である。
【発明の効果】
【００１１】
請求項１〜６の発明の夜の電飾効果によって、幻想的な光の床・壁等をデザインすることができ、店舗等における演出効果を格段に高めることができる。また、設置作業が簡単であり、発光体の修理やメンテナンスが大変簡単である。そして、孔にごみがたまりにくく電飾効果の変化が少ない。さらに板材であるので、熱による膨張・圧縮等の寸法の狂いが少なく、設計が容易である。
【００１２】
この電飾装置は、床材、壁材、天井材、柱材等に適用されることを含むものである。また屋外、室内を問わず適用可能である。
【００１３】
ところで、取付具の内部にウレタン発泡体等を充填することで板材の強度をも向上させ、電飾装置用構成部材としての利用に耐え得るものとしている。
取付具の内部に充填される発泡体はウレタン発泡体であることが好ましいが、他の発泡体を充填する構成としても良い。
【００１４】
板材は、木材、金属、セラミック、合成樹脂等いずれでもよい。
通常、取付具の内部に充填される発泡体はウレタン発泡材であることが多いが、これを発泡コンクリートに代えることにより気密性、断熱性が向上することになる。
【発明を実施するための最良の形態】
【００１５】
本発明実施形態１の電飾装置１を図１〜図３を参照して説明する。この電飾装置１は、床を構成するものであり、ＬＥＤランプ（以下、ＬＥＤランプという）２を表面から視認できるように、ＬＥＤランプ２を、中実（中空でないもの）の板材３の裏面に取付具４により取り付け、取付具４の内部５にＬＥＤランプ２の配線部７を通し、固定材８によりＬＥＤランプ２を取付具４に固定することを特徴とする。即ち、電飾装置１は、面方向に貫通形成されるＬＥＤランプ点灯孔９を有する板材３と、板材３に取り付け可能である、ＬＥＤランプ挿入孔１０と、配線取出口１１と、を備える取付具４と、ＬＥＤランプ点灯孔９の上面と面一となるように上面１２が配置される発光部１３と、発光部１３を包む保持部１４と、を有し、ＬＥＤランプ挿入孔１０から挿入され発光部１３をＬＥＤランプ点灯孔９に挿入固定するＬＥＤランプ２と、ＬＥＤランプ２から延び出し配線取出口１１から引き出されるＬＥＤランプ配線部７と、ＬＥＤランプ配線部７及び／又は保持部１４の下部を取付具４に固定する固定材８と、を備えたことを特徴とする。ＬＥＤランプ点灯孔９よりも大径のＬＥＤランプ挿入孔１０に設定されている。このＬＥＤランプ点灯孔９はＬＥＤランプ２の保持部１４の全部又は一部が挿入されて固定できる程度の大きさに設定されている。板材３には嵌め込み突部３ａと凹み部３ｂとが側面部に備えられている。また、ＬＥＤランプ挿入孔１０の径は最低、ＬＥＤランプ２の直径に配線太さを加えたものである。以下、詳細に説明する。
【００１６】
固定材８が取付具４に充填される発泡体である。この発泡体はウレタンであることが好ましい。また、ＬＥＤランプ２がリードタイプ型であることが好ましい。ＬＥＤランプ２に太陽光発電で発電される電気をバッテリーに蓄え、これを電飾装置１に供給することもできる。この場合、電源は、感電事故を防ぐことができ、素人でも簡易に取り扱える。電気工事士等の免許が不要である。
【００１７】
電飾装置１の設置作業（現場施行タイプのもの）について説明する。センターガイド付きホールソーで板材３にＬＥＤランプ点灯孔９を開ける。工場で前記孔を予め形成しておくのが好ましい。そして、図２に示す通り、取付具４の取付孔４ａ，４ｂに螺子４ｃ，４ｄを取り付けて、これを板材３へねじ込んで、取付具４を板材３に固定する。次にＬＥＤランプ２の上面１２からＬＥＤランプ挿入孔１０に挿入し、保持部１４上部をＬＥＤランプ点灯孔９に挿入する。それらの挿入後、図３に示す通り、ＬＥＤランプ挿入孔１０又は配線取出口１１から防水とＬＥＤランプ２の固定を目的にウレタン発泡体等の固定材８を吹き込む。また板材３の取付具４を配線格納場所として利用する。配線部７端部にコネクター２１を取り付ける。
【００１８】
次に本発明実施形態２の電飾装置３１を図４、図５を参照して説明する。実施形態１では固定材８が発泡体の注入によって行われるが、ここでは予め成形されたゴム、コルク、発泡樹脂等の弾力性のあるものが好ましく、例えば円錐形体である固定体３８にＬＥＤランプ３２を埋設した構造である。ここでは固定体３８は、ＬＥＤランプ３２の保持部４４の下部と配線部４７の一部を内部に固定したものである。実施形態１の部品番号に３０番を付加した番号とし、共通要素の図示及び説明は実施形態１を援用する。なお、固定体３８に円環状の凹みを設けて弾性拘止片として構成し、その弾性変形によりＬＥＤランプ挿入孔４０に確実に係止させてもよい。また取付具３４と固定体３８の大きさは適宜設定できる。例えば、固定体３８が取付具３４の内部に収容されるようにしてもよいし、固定体３８の下部が取付具３４のＬＥＤランプ挿入孔４０から突出していてもよい。なお、図中点で示す通り、発泡体、接着剤等の固定用部材３９で更に固定してもよい。
【００１９】
電飾装置３１の設置作業（工場組立型タイプのもの）についＬＥＤランプ３２の上部がＬＥＤ点灯孔３９に挿入されることで、設置が完了する。これにより現場での施工作業が大幅に短縮する。
【００２０】
次に本発明実施形態３の電飾装置５１を図６を参照して説明する。実施形態１では電飾装置１は床を構成するが、電飾装置５１はドアの壁を構成する。実施形態１の部品番号に５０番を付加した番号とし、共通要素の図示及び説明は実施形態１を援用する。ここでは、図６に示す通り、ドアの蝶番（ヒンジ）を電気接続端子として利用可能するものである。即ち、取っ手６８と金属製ヒンジ６９・deg;yび６９ｂとを備え、ＬＥＤランプ５２の配線部５７のプラス端子６５ａが金属製ヒンジ６９ａと接続され、マイナス端子６５ｂが金属製ヒンジ６９ｂと接続されている。
【００２１】
その他、発明を利用する形態としては次のものが挙げられる。ＬＥＤランプ２に接続される発光制御回路に付加回路を加えることで、蛍のようなやわらかな点滅や激しい点滅が可能である。また、追加的に、ＥＬライト（液晶のバックライトで使用しているもの）を貼り付けることにより「面光源」となり、より演出効果を高めることができる。
【００２２】
壁等に本発明電飾装置を利用する場合、中空部に蛍光灯等を埋め込み設置できる。表面はガラス等透明なもので覆うかスリット・穴を開けることにより幻想的な光の壁や床をデザインできる。また、そのため屋外で利用する場合、防水処理等が簡便に設計できる。
【００２３】
埋め込みキャップを使うことにより、製造時、光源の挿入が簡便であったり交換が容易である。つまり、表面からも裏面からも交換が可能である。
【００２４】
デッキ材や壁材等、下地フレームに金属を利用することによりフレームを接地（マイナス）側として利用でき配線作業の簡略化が可能である。
【００２５】
また、フレーム側を陽極（プラス）側とし板材に適量の導通体を混合し適当な抵抗を与えこれにより電流制限を行いＬＥＤランプを点灯させることが可能である。この仕組みを利用することで、オレフィン系素材利用上の悩みである静電気の発生を抑制することが可能である。
【００２６】
四角いデッキパネルのような製品では、突きつけ部（端面）に電極を埋め込み連続した無配線のシステムを構築可能である。
【００２７】
また、インバータによる交流電源を変圧器を利用して直流電圧に変換し利用することにより電気事業法に抵触しない低電圧による高光度な灯りを確保できる。
【００２８】
電磁誘導による電源供給による点灯が可能である。ＩＣカードのようなイメージである。ＬＥＤランプ・ＥＬライト・蛍光灯に有効である。
【００２９】
低電力（電気事業法で制限されず電気工事上の資格が不要な３０Ｖ未満）を利用することで個人が気軽にＤＩＹ（ドゥイット・ユアセルフ）で利用可能な自然エネルギー（太陽光発電、風力発電、ミニ水力発電、バイオマス、燃料電池等）を利用することが可能である。よって、キット販売が可能である。また、水周り等での感電の危険性がほとんどなくなる利点がある。
【００３０】
その他、大地震発生直前に発生する外部ノイズを配線で検知し地震発生直前に灯火具を点灯させることが可能である。
【００３１】
中空部に酸化チタンと弱い紫外線発生光源（蛍光灯・紫外線ＬＥＤランプ等）を挿入し中空部に空気をファン等で導入し洗浄を行なうことが可能である。
【００３２】
尚、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【００３３】
【図１】本発明実施形態１の電飾装置１の全体斜視図である。
【図２】電飾装置１の分解斜視図である。
【図３】電飾装置１の断面図である。
【図４】実施形態２の電飾装置３１の分解斜視図である。
【図５】同縦断面図である。
【図６】（ａ）は実施形態３の電飾装置５１の斜視図、（ｂ）は同縦断面図である。
【符号の説明】
【００３４】
１・・・電飾装置  ２・・・ＬＥＤランプ  ３・・・板材  ４・・・取付具
５・・・内部  ７・・・配線部  ８・・・固定材
９・・・ＬＥＤランプ点灯孔  １０・・・ＬＥＤランプ挿入孔
１１・・・配線取出口  １２・・・上面  １３・・・発光部  １４・・・保持部
【図１】
2005302617.tif 000003
【図２】
2005302617.tif 000004
【図３】
2005302617.tif 000005
【図４】
2005302617.tif 000006
【図５】
2005302617.tif 000007
【図６】
2005302617.tif 000008